(57)【要約】【課題】  発光部分を多くしたり広くすることができる通信装置に取り付けられるカバーを提供する。【解決手段】板状の通信装置に取り付けられるカバーであって、該通信装置の所定の動作を検出し発光する発光手段と、発光手段の発光を内部に受け入れ導光すると共に該導光した光を出射する透明の板状の導光手段と、を備えてなる、カバーである。導光手段の外縁の少なくとも一部である出射外縁から光が出射するものであってもよい。導光手段の両主表面の少なくとも一部である出射主表面から光を出射するものであってもよい。【選択図】図１
0003203196.tif 000002
【実用新案登録請求の範囲】
【請求項１】
板状の通信装置に取り付けられるカバーであって、
該通信装置の所定の動作を検出し発光する発光手段と、
発光手段の発光を内部に受け入れ導光すると共に該導光した光を出射する透明の板状の導光手段と、
を備えてなる、カバー。
【請求項２】
導光手段の外縁の少なくとも一部である出射外縁から光が出射するものである、請求項１に記載のカバー。
【請求項３】
導光手段の両主表面の少なくとも一面における、出射外縁の少なくとも一部に沿った部分に、光を遮断又は減衰させる主表面覆いが設けられているものである、請求項２に記載のカバー。
【請求項４】
主表面覆いが、導光手段の両主表面の両面に設けられているものである、請求項３に記載のカバー。
【請求項５】
導光手段を含む第１板状部と、
第１板状部の縁部に縁部が回動自在又は屈曲自在に取り付けられ、前記通信装置を第１板状部との間に挟み得る第２板状部と、を備えてなり、
第１板状部と第２板状部とが前記通信装置を挟んだ状態において、前記通信装置に面する前記カバーの内面を形成する内面部材と、前記カバーの外面を形成する外面部材と、の少なくとも一方が主表面覆いを構成するものである、請求項３又は４に記載のカバー。
【請求項６】
導光手段を含む第１板状部と、
第１板状部の縁部に縁部が回動自在又は屈曲自在に取り付けられ、前記通信装置を第１板状部との間に挟み得る第２板状部と、を備えてなり、    
第１板状部と第２板状部とが前記通信装置を挟んだ状態において、前記通信装置に面する前記カバーの内面を形成する内面部材と、前記カバーの外面を形成する外面部材と、の両方が主表面覆いを構成するものである、請求項４に記載のカバー。
【請求項７】
導光手段が、発光手段の発光を内部に受け入れる部分である光受入部を含むと共に外縁から出射させる板状の第１導光部と、第１導光部の該外縁から出射した光を受け入れて出射させる板状の第２導光部と、を含んでなる、請求項１乃至６のいずれか１に記載のカバー。
【請求項８】
第１導光部が、第１導光部が形成する板状形状の両主表面を連絡するように形成された、発光手段を嵌入する発光手段嵌入孔を有してなり、
光受入部が、発光手段嵌入孔を規定する内縁部分の少なくとも一部である、請求項７に記載のカバー。
【請求項９】
第２導光部が、第２導光部が形成する板状形状の両主表面を連絡するように形成された、第１導光部を嵌入する第１導光部嵌入孔を有してなり、
第２導光部が、第１導光部嵌入孔を規定する内縁部分の少なくとも一部から第１導光部の前記外縁から出射した光を受け入れるものである、請求項７又は８に記載のカバー。
【請求項１０】
第２導光部の外縁の少なくとも一部である第２導光部出射外縁から光が出射するものである、請求項７乃至９のいずれか１に記載のカバー。
【請求項１１】
導光手段の両主表面の少なくとも一部である出射主表面から光を出射するものである、請求項１乃至１０のいずれか１に記載のカバー。
【請求項１２】
出射主表面から出射する光を内部に受入可能に配置されると共に、光を出射可能な外面の少なくとも一部が露出するように配置された透明な装飾部材を備えるものである、請求項１１に記載のカバー。
【請求項１３】
前記装飾部材が、板状の装飾板材であり、
該装飾板材の裏面が出射主表面に面するように該装飾板材が着脱自在に取り付けられているものである、請求項１２に記載のカバー。
【請求項１４】
前記装飾部材の前記露出する、光を出射可能な外面を取り囲むように、光を遮断又は減衰させる周囲覆いが設けられているものである、請求項１２に記載のカバー。
【請求項１５】
導光手段を含む第１板状部と、
第１板状部の縁部に縁部が回動自在又は屈曲自在に取り付けられ、前記通信装置を第１板状部との間に挟み得る第２板状部と、を備えてなり、  
第１板状部と第２板状部とが前記通信装置を挟んだ状態において、前記通信装置に面する前記カバーの内面を形成する内面部材と、前記カバーの外面を形成する外面部材と、の両部材の少なくとも一方が前記周囲覆いを構成するものである、請求項１４に記載のカバー。
【請求項１６】
前記通信装置を着脱自在に取り付ける取付手段を有するものである、請求項１乃至１５のいずれか１に記載のカバー。
【考案の詳細な説明】
【技術分野】
【０００１】
本考案は、通信装置に取り付けられるカバーに関し、より詳細には、携帯電話（いわゆるスマートフォンを含む）やタブレット端末等のような板状の通信装置に取り付けられ、該通信装置が所定の動作をした際に発光するカバーに関する。
【背景技術】
【０００２】
通信装置に取り付けられるカバーは様々なものが提案されてきた（例えば、特許文献１参照）。
特許文献１には、「マンネリ化を払拭する工夫およびその他の工夫を施した新規の携帯電話機用の着信お知らせ装置を提供する」（特許文献１、考案の詳細な説明中、段落番号０００４）ために考案されたもので、具体的には「縫いぐるみを構成し、この縫いぐるみに携帯電話機に被覆するカバー部を連設すると共に当該縫いぐるみの中に携帯電話機のアンテナより発せられる電波を検波して発光する発光ユニットを装入して成ることを特徴とする携帯電話機用の着信お知らせ装置。」（特許文献１、実用新案登録請求の範囲、請求項２）が開示されている。かかる装置によれば、「本考案に係る携帯電話機用の着信お知らせ装置は、上記のような構成であるので、これを図に示すように使用者が携帯電話機３に被着して用いている場合には、相手先から電話がかかってきたときに携帯電話機３の呼び出し音と異なる音や光を発してこれを知らせるものであって、顕著な独創性と斬新性を有するものであり、所期の目的を完全に達成するという著効を奏するものである。」（特許文献１、考案の詳細な説明中、段落番号００１４）という効果を奏する。
【先行技術文献】
【特許文献】
【０００３】
【特許文献１】実用新案登録第３０６７７８２号公報（例えば、要約、段落番号０００１〜０００６、０００９、００１１、第１図等）
【考案の概要】
【考案が解決しようとする課題】
【０００４】
このような特許文献１に開示された通信装置に取り付けられるカバー（特許文献１においては、携帯電話機用の着信お知らせ装置）では、「図に示す実施例は、吊下げ環８付き縫いぐるみ１を構成し、この縫いぐるみ１に音声ユニット用および発光ユニット格納用の袋部（図示せず）を設けると共に当該縫いぐるみ１に携帯電話機３に被覆するアンテナ出し孔９付きで開口縁縮径用ゴム紐２入りのカバー部４を連設し、またこれとは別個に携帯電話機３のアンテナ４より発せられる電波を検波して音声を出力する音声ユニット５と同様にして検波して発光する発光ユニット６とを構成し、これ等音声ユニット５、発光ユニット６を上記格納袋部内に出し入れ自在として且つ発光ユニット６の目玉用ＬＥＤ７が縫いぐるみ１の目として機能するようにして格納したものである。」（特許文献１、考案の詳細な説明中、段落番号０００９）ので、縫いぐるみ１の目に位置する目玉用ＬＥＤ７のみが発光するものであり、発光部分が少なく小さいため（一対のＬＥＤ７が発光するので、２点が光るのみである。）、発光による面白味を減殺するという問題があった。
そこで、本考案では、発光部分を多くしたり広くすることができる通信装置に取り付けられるカバーを提供することを目的とする。
【課題を解決するための手段】
【０００５】
本考案のカバー（以下、「本カバー」という。）は、板状の通信装置に取り付けられるカバーであって、該通信装置の所定の動作を検出し発光する発光手段と、発光手段の発光を内部に受け入れ導光すると共に該導光した光を出射する透明の板状の導光手段と、を備えてなる、カバーである。
本カバーは、携帯電話（いわゆるスマートフォンを含む）やタブレット端末等のような板状の通信装置に取り付けられることで、該通信装置が所定の動作をなした際に発光するカバーである。
本カバーは、発光手段と、板状の導光手段と、を備えてなる。
発光手段は、該通信装置の所定の動作を検出し発光する。この通信装置の所定の動作は、様々なものとすることができ限定されるものではないが、例えば、通信装置の電波発射（着信や発信）、通信装置の振動（バイブレーション）、通信装置の発光（画面発光とランプ点灯とのいずれも含む。）、通信装置の音発生等を挙げることができる。発光手段が該通信装置の所定の動作を検出する方法は様々なものを用いることができ限定されるものではないが、例えば、該通信装置が通信により発する電波を検出するもの、該通信装置の振動（バイブレーション）を検出するもの、該通信装置の発光を検出するもの、該通信装置の発する音を検出するものを挙げることができる。このような発光手段は様々なものが市販されているので、発光手段の説明は省略する。
導光手段は、透明（可視光を透過させる）な板状をなすものであり、発光手段が発光した光を内部に受け入れ、該受け入れた光を導光（内部を透過させる）すると共に該導光した光を導光手段の外部に出射させるものである。
かかる本カバーによれば、本カバーが取り付けられる該通信装置の所定の動作を発光手段が検出し発光し、そして導光手段が発光手段の発光を導光手段内部に受け入れ導光すると共に該導光した光を外部に出射するので、光が外部に出射する導光手段の位置を自由度高く板状の導光手段の様々な位置とすることができる（導光手段が形成する板状形状の外面の様々な位置から光を出射させることができる）ので、自由度高く発光部分を多くしたり広くすることができる。
【０００６】
本カバーにおいては、導光手段の外縁の少なくとも一部である出射外縁から光が出射するもの（以下、「外縁出射本カバー」という。）であってもよい。
こうすることで板状の導光手段の外縁の少なくとも一部（出射外縁）から光が出射することで出射外縁が光るので、細長い発光部分を形成することができ、本カバーにスマートな印象を与えることができる。
【０００７】
外縁出射本カバーにおいては、導光手段の両主表面の少なくとも一面における、出射外縁の少なくとも一部に沿った部分に、光を遮断又は減衰させる主表面覆いが設けられているもの（以下、「外縁出射主表面覆い本カバー」という。）であってもよい。
こうすることで細長く光る出射外縁の少なくとも一部に沿って、導光手段の両主表面の少なくとも一面に主表面覆い（可視光を遮断又は減衰させる）が設けられるので、該少なくとも一面からの発光が観察されることを防止又は減少させることで、出射外縁からの細長い発光を強調し、本カバーのスマートな印象を一層強調することができる。
【０００８】
外縁出射主表面覆い本カバーにおいては、主表面覆いが、導光手段の両主表面の両面に設けられているもの（以下、「外縁出射両主表面覆い本カバー」という。）であってもよい。
こうすることで導光手段の両主表面のいずれにも、細長く光る出射外縁の少なくとも一部に沿って主表面覆いが設けられるので、出射外縁の該少なくとも一部が主表面覆いにより両側から挟まれるように存在することで、出射外縁からの細長い発光を一層強調し、本カバーのスマートな印象を効果的に高めることができる。
【０００９】
外縁出射主表面覆い本カバーにおいては、導光手段を含む第１板状部と、第１板状部の縁部に縁部が回動自在又は屈曲自在に取り付けられ、前記通信装置を第１板状部との間に挟み得る第２板状部と、を備えてなり、第１板状部と第２板状部とが前記通信装置を挟んだ状態において、前記通信装置に面する前記カバーの内面を形成する内面部材と、前記カバーの外面を形成する外面部材と、の少なくとも一方が主表面覆いを構成するものであってもよい。
こうすることで本カバーが、回動自在又は屈曲自在に互いの縁部が取り付けられる第１板状部（第１板状部の板状形状と、導光手段の板状形状と、が互いに沿うように導光手段が第１板状部に含まれる。）及び第２板状部を有し、板状の通信装置を第１板状部及び第２板状部により挟むような従来から多用されているカバーに本カバーをすることができ、第１板状部及び第２板状部が前記通信装置を挟んだ状態において内面部材（前記通信装置に面する本カバーの内面を形成する部材）と外面部材（本カバーの外面を形成する部材）との少なくとも一方が主表面覆いを構成することで、内面部材及び／又は外面部材が主表面覆いを兼ねるため主表面覆いを格別構成する必要がなく、本カバーを構成する部品点数を減少させ本カバーの製造コストを減少させることができる。
【００１０】
外縁出射両主表面覆い本カバーにおいては、導光手段を含む第１板状部と、第１板状部の縁部に縁部が回動自在又は屈曲自在に取り付けられ、前記通信装置を第１板状部との間に挟み得る第２板状部と、を備えてなり、第１板状部と第２板状部とが前記通信装置を挟んだ状態において、前記通信装置に面する前記カバーの内面を形成する内面部材と、前記カバーの外面を形成する外面部材と、の両方が主表面覆いを構成するものであってもよい。
こうすることで本カバーが、回動自在又は屈曲自在に互いの縁部が取り付けられる第１板状部（第１板状部の板状形状と、導光手段の板状形状と、が互いに沿うように導光手段が第１板状部に含まれる。）及び第２板状部を有し、板状の通信装置を第１板状部及び第２板状部により挟むような従来から多用されているカバーに本カバーをすることができ、第１板状部及び第２板状部が前記通信装置を挟んだ状態において内面部材（前記通信装置に面する本カバーの内面を形成する部材）と外面部材（本カバーの外面を形成する部材）との両方が主表面覆いを構成することで、内面部材及び外面部材が主表面覆いを兼ねるため主表面覆いを格別構成する必要がなく、本カバーを構成する部品点数を減少させ本カバーの製造コストを減少させることができる。
【００１１】
本カバーにおいては、導光手段が、発光手段の発光を内部に受け入れる部分である光受入部を含むと共に外縁から出射させる板状の第１導光部と、第１導光部の該外縁から出射した光を受け入れて出射させる板状の第２導光部と、を含んでなるもの（以下、「分割導光部本カバー」という。）であってもよい。
こうすることで導光手段が、いずれも板状の第１導光部及び第２導光部を含んでなり、第１導光部の光受入部が発光手段の発光を第１導光部内部に受け入れると共に第１導光部の外縁から出射させる（第１導光部はその内部で光受入部から該外縁まで光を通過させ導光する。）。第２導光部は、第１導光部の該外縁から出射した光を受け入れて出射させる（第２導光部は、第１導光部の該外縁から出射した光を内部に受け入れる位置から、出射する位置まで、光を通過させ導光する。）。このように導光手段を別体の第１導光部及び第２導光部によって構成することで、本カバーにおける導光手段の配設の自由度を高め、本カバーの構成を容易にすることができる。
【００１２】
分割導光部本カバーにおいては、第１導光部が、第１導光部が形成する板状形状の両主表面を連絡するように形成された、発光手段を嵌入する発光手段嵌入孔を有してなり、光受入部が、発光手段嵌入孔を規定する内縁部分の少なくとも一部であるものでもよい。
こうすることで第１導光部が有する発光手段嵌入孔（第１導光部が形成する板状形状の両主表面を連絡するように形成された孔）を有し、発光手段嵌入孔に発光手段を嵌入する。そして、発光手段の発光を内部に受け入れる光受入部が、発光手段嵌入孔を規定する内縁部分の少なくとも一部とすることで、発光手段嵌入孔に嵌入された発光手段からの発光を、発光手段嵌入孔の内縁部分からうまく受け入れることができる（発光手段嵌入孔に嵌入された発光手段と、光受入部（発光手段嵌入孔の内縁部分）と、の位置関係を、発光手段からの発光を光受入部（発光手段嵌入孔の内縁部分）がうまく受け入れることができるように容易に保持できる。例えば、発光手段嵌入孔に嵌入された発光手段の外縁から発光するようにすれば、該外縁と発光手段嵌入孔の内縁部分とが近接した状態で容易に保持することができるので、発光手段からの発光を光受入部（発光手段嵌入孔の内縁部分）から確実に受け入れることができる。）。
【００１３】
分割導光部本カバーにおいては、第２導光部が、第２導光部が形成する板状形状の両主表面を連絡するように形成された、第１導光部を嵌入する第１導光部嵌入孔を有してなり、第２導光部が、第１導光部嵌入孔を規定する内縁部分の少なくとも一部から第１導光部の前記外縁から出射した光を受け入れるものであってもよい。
こうすることで第２導光部が有する第１導光部嵌入孔（第２導光部が形成する板状形状の両主表面を連絡するように形成された孔）を有し、第１導光部嵌入孔に第１導光部を嵌入する。そして、第１導光部の外縁から出射した光を、第１導光部嵌入孔を規定する内縁部分の少なくとも一部から受け入れることで、第１導光部嵌入孔に嵌入された第１導光部の外縁からの発光を、第１導光部嵌入孔を規定する内縁部分からうまく受け入れることができる（第１導光部嵌入孔に嵌入された第１導光部の外縁と、第１導光部嵌入孔を規定する内縁部分と、の位置関係を、第１導光部の外縁からの発光を第１導光部嵌入孔を規定する内縁部分がうまく受け入れることができるように容易に保持できる。）。
【００１４】
分割導光部本カバーにおいては、第２導光部の外縁の少なくとも一部である第２導光部出射外縁から光が出射するものであってもよい。
こうすることで分割導光部本カバーにおいて、板状の第２導光部の外縁の少なくとも一部（第２導光部出射外縁）から光が出射することで第２導光部出射外縁が光るので、細長い発光部分を形成することができ、分割導光部本カバーにスマートな印象を与えることができる。
【００１５】
本カバーにおいては、導光手段の両主表面の少なくとも一部である出射主表面から光を出射するもの（以下、「主表面出射本カバー」という。）であってもよい。
こうすることで板状の導光手段の主表面の少なくとも一部である出射主表面から光を出射するので、出射部分を広くとることができ（板状の導光手段の広い外面である主表面から出射するので、出射部分を広くすることができる。）、発光部分を多くしたり広くすることができる。
【００１６】
主表面出射本カバーにおいては、出射主表面から出射する光を内部に受入可能に配置されると共に、光を出射可能な外面の少なくとも一部が露出するように配置された透明な装飾部材を備えるもの（以下、「装飾部材本カバー」という。）であってもよい。
こうすることで透明（可視光を透過させる）な装飾部材が、出射主表面から出射する光を装飾部材内部に受け入れると共に、光を出射可能な外面の、露出した少なくとも一部から光を出射するので、装飾部材の該露出した外面を発光させることができる。装飾部材から出射される光に面白味を与えるために、装飾部材を着色したり（出射される光の全部が同じ色になるようにしても、出射される光の一部の色と残部の色とが異なるようにしてもよい。）、装飾部材に種々の図柄や写真を描いたり、装飾部材の形状を工夫（例えば、装飾部材の発光する部分が文字、図形、記号等を形成するようにしてもよい。）することもできる。また、装飾部材は着脱自在とされてもよく、その場合は異なる種類の複数の装飾部材を準備しておき、これら異なる種類の装飾部材を取り替えることで、好みに応じて本カバーからの発光を変化させることができる。
【００１７】
装飾部材本カバーにおいては、前記装飾部材が、板状の装飾板材であり、該装飾板材の裏面が出射主表面に面するように該装飾板材が着脱自在に取り付けられているものであってもよい。
こうすることで板状の透明な装飾板材を装飾部材とし、装飾板材の裏面が出射主表面に面するように装飾板材を着脱自在に取り付け可能とするので、板状の導光手段の主表面の少なくとも一部である出射主表面に沿って同じ板状の装飾板材を配置することで装飾板材の表面から光を出射させることができ、装飾板材が板状であるので装飾板材の保管や運搬が容易であり、装飾板材を取り付けた装飾部材本カバーの小型化（薄い形状）に資することができ、さらに装飾板材が出射主表面にうまく沿うことで装飾効果を効果的に奏することができる。
【００１８】
装飾部材本カバーにおいては、前記装飾部材の前記露出する、光を出射可能な外面を取り囲むように、光を遮断又は減衰させる周囲覆いが設けられているもの（以下、「周囲覆い本カバー」という。）であってもよい。
こうすることで装飾部材の前記露出する、光を出射可能な外面が周囲覆い（光を遮断又は減衰させる覆い）により取り囲まれるので、装飾部材の発光する外面の周囲が周囲覆いで覆われることにより、装飾部材の発光が際だち装飾効果を強めることができる。
【００１９】
周囲覆い本カバーにおいては、導光手段を含む第１板状部と、第１板状部の縁部に縁部が回動自在又は屈曲自在に取り付けられ、前記通信装置を第１板状部との間に挟み得る第２板状部と、を備えてなり、第１板状部と第２板状部とが前記通信装置を挟んだ状態において、前記通信装置に面する前記カバーの内面を形成する内面部材と、前記カバーの外面を形成する外面部材と、の両部材の少なくとも一方が前記周囲覆いを構成するものであってもよい。
こうすることで回動自在又は屈曲自在に互いの縁部が取り付けられる第１板状部（第１板状部の板状形状と、導光手段の板状形状と、が互いに沿うように導光手段が第１板状部に含まれる。）及び第２板状部を有し、板状の通信装置を第１板状部及び第２板状部により挟む従来から多用されているカバーと本カバーをすることができ、第１板状部及び第２板状部が前記通信装置を挟んだ状態において内面部材（前記通信装置に面する本カバーの内面を形成する部材）と外面部材（本カバーの外面を形成する部材）との少なくとも一方が周囲覆いを構成することで、内面部材及び／又は外面部材が周囲覆いを兼ねるためその周囲覆いを格別構成する必要がなく、本カバーを構成する部品点数を減少させ本カバーの製造コストを減少させることができる。
【００２０】
本カバーにおいては、前記通信装置を着脱自在に取り付ける取付手段を有するものであってもよい。
こうすることで取付手段により本カバーを前記通信装置に着脱自在に取り付けることができるので、本カバーを前記通信装置に脱着自在にして便利に使用することができる。取付手段としては、前記通信装置を着脱自在に取り付けることができるものであれば特に制限なく用いることができるが、例えば、板状の通信装置の縁部に係合することで通信装置を着脱自在に取り付けるものや、板状の通信装置を挟持することで通信装置を着脱自在に取り付けるものや、板状の通信装置の外面に粘着することで通信装置を着脱自在に取り付けるものや、板状の通信装置の外面に係合（例えば、スナップ係合や面ファスナー係合）することで通信装置を着脱自在に取り付けるものや、板状の通信装置を線材（例えば、紐やバンド）により縛着することで通信装置を着脱自在に取り付けるもの等を例示できる。
【図面の簡単な説明】
【００２１】
【図１】本考案の第１の実施形態に係る携帯電話カバー（第１本カバー）を示す図である。
【図２】図１（ａ）のＡ−Ａ断面図である。
【図３】図１（ａ）のＢ−Ｂ断面図である。
【図４】図４（ａ）は図１（ａ）のＤ−Ｄ断面図であり、図４（ｂ）は図１（ａ）のＣ−Ｃ断面図である。
【図５】第２導光板を示す図である。
【図６】発光部とそれを支持する第１導光板とを示す図である。
【図７】第１デザインパネルを示す図である。
【図８】図８（ａ）は第１本カバーの製造方法の第１ステップを説明する図であり、図８（ｂ）は第１本カバーの製造方法の第２ステップを説明する図である。
【図９】第１本カバーの製造方法の第３ステップを説明する図である。
【図１０】第１本カバーの製造方法の第４ステップを説明する図である。
【図１１】第１本カバーの製造方法の第５ステップを説明する図である。
【図１２】第１本カバーの製造方法の第６ステップを説明する図である。
【図１３】第１本カバーの携帯電話取付具にスマートフォンを取り付けた後、他方部分を回動させ他方部分がスマートフォンを覆った状態を、第１デザインパネルの表面側から見たところを示している。
【図１４】図１４（ａ）は図１３のＬ−Ｌ端面図であり、図１４（ｂ）は図１３の矢印Ｍ１方向から見たところを示す図である。
【図１５】図１５（ａ）は図１３の矢印Ｍ２方向から見たところを示す図であり、図１５（ｂ）は図１３の矢印Ｍ３方向から見たところを示す図である。
【図１６】本考案の第２の実施形態に係る携帯電話カバー（第２本カバー）を示す図である。
【図１７】図１６（ａ）のＡ−Ａ断面図である。
【図１８】図１６（ａ）のＢ−Ｂ断面図である。
【図１９】図１９（ａ）は図１６（ａ）のＤ−Ｄ断面図であり、図１９（ｂ）は図１６（ａ）のＣ−Ｃ断面図である。
【図２０】図１６（ｂ）のＮ−Ｎ端面図（一部拡大）である。
【図２１】図２１（ａ）は第２本カバーの製造方法の第１ステップを説明する図であり、図２１（ｂ）は第２本カバーの製造方法の第２ステップを説明する図である。
【図２２】第２本カバーの製造方法の第３ステップを説明する図である。
【図２３】第２本カバーの製造方法の第４ステップを説明する図である。
【図２４】図２４（ａ）は、第２本カバーの携帯電話取付具にスマートフォンを取り付けた後、他方部分を回動させ他方部分がスマートフォンを覆った状態を、第１デザインパネルの表面側から見たところを示しており、図２４（ｂ）は図２４（ａ）のＬ−Ｌ端面図である。
【考案を実施するための形態】
【００２２】
本考案の実施の形態を図面を参照して詳述するが、本考案はこれに限定されるものではない。
【００２３】
（第１の実施形態）
図１は、本考案の第１の実施形態に係る携帯電話カバー（以下、「第１本カバー」という。）１１を示す図であり、詳細には、図１（ａ）は第１本カバー１１を表面１３（携帯電話に装着された際に外面を形成する面）側から見たところを示す図であり、図１（ｂ）は第１本カバー１１を裏面１９（携帯電話に装着された際に携帯電話に面する面。表面１３とは反対の面。）側から見たところを示す図である。図２は図１（ａ）のＡ−Ａ断面図であり、図３は図１（ａ）のＢ−Ｂ断面図であり、図４（ａ）は図１（ａ）のＤ−Ｄ断面図であり、そして図４（ｂ）は図１（ａ）のＣ−Ｃ断面図である。また、図５は第２導光板１７を示す図（詳細には、図５（ａ）は第２導光板１７の平面図であり、図５（ｂ）は図５（ａ）のＥ１−Ｅ１断面図であり、図５（ｃ）は図５（ａ）のＥ２−Ｅ２断面図である。）であり、図６は発光部２５とそれを支持する第１導光板２３とを示す図（詳細には、図６（ａ）は、発光部２５を支持した第１導光板２３の主表面に対して垂直方向から見たところを示しており、図６（ｂ）は図６（ａ）のＦ２−Ｆ２断面図であり、図６（ｃ）は図６（ａ）のＦ３−Ｆ３断面図であり、図６（ｄ）は図６（ａ）のＦ１−Ｆ１断面図である。）であり、そして図７は第１デザインパネル３１を示す図（詳細には、図７（ａ）は第１デザインパネル３１の平面図であり、図７（ｂ）は図７（ａ）のＧ２−Ｇ２断面図であり、図７（ｃ）は図７（ａ）のＧ１−Ｇ１断面図である。）である。図１乃至図７を参照して、第１本カバー１１について説明する。なお、図示及び理解を容易にするため、発光部２５の構造は図示を省略する。
【００２４】
第１本カバー１１は、大まかには、両主表面が長方形（４の角部が丸められている）を略なす裏材１２と、裏材１２の主表面を横断する線分２０１（図１（ｂ）参照。線分２０１は仮想上の線分であり、ここでは裏材１２の該主表面の互いに平行な一対の辺（ここでは長辺）に垂直かつ該一対の辺とは別の一対の辺（ここでは短辺）のいずれからも距離が等しい線分である。）により該主表面が２の部分に分割された一方部分１２ａに取り付けられた携帯電話取付具１５と、裏材１２の裏面１２ｆ（第１本カバー１１の裏面１９を形成する裏材１２の面とは反対の面）側に貼着された表材１４と、一方部分１２ａのうち線分２０１と所定距離離れた部分（携帯電話取付具１５の位置にほぼ対応する位置）と表材１４との間に介在するように配設された中芯１６と、該２の部分のうち一方部分１２ａではない方の他方部分１２ｂのうち線分２０１と所定距離離れた部分の裏面（第１本カバー１１の裏面１９を形成する裏材１２の面とは反対の面）に貼着された第２導光板１７と、第２導光板１７が有する開口である導光開口１７ｈに丁度嵌入された第１導光板２３と、第１導光板２３が有する開口である支持開口２３ｈに丁度嵌入された発光部２５と、第１導光板２３が有する両主表面のうち裏材１２裏面１２ｆに面する面とは反対の面に着脱自在に配置された第１デザインパネル３１と、を備えてなる。
【００２５】
裏材１２は、柔軟なシート状部材（例えば、人工皮革）により全体が形成されており、両主表面が４の角部を丸められた長方形状を略なしている。後述の如く、仮想上の線分２０１によって分割された一方部分１２ａと他方部分１２ｂとが線分２０１近傍に沿って回動自在である。
【００２６】
携帯電話取付具１５は、柔軟な材料（例えば、合成樹脂や薄い鋼材等）により形成され、いわゆるスマートフォンの外縁部分を係止することでスマートフォンを着脱自在に支持するものであり、従来から存在するスマートフォンのカバーにも備えられていたものであるので、詳細な説明は省略する。この携帯電話取付具１５にスマートフォンを取り付けることで、該スマートフォンに第１本カバー１１を着脱自在に取り付けることができる。
このように、ここでは携帯電話取付具１５にスマートフォンを取り付けることで該スマートフォンに第１本カバー１１を着脱自在に取り付けているが、このような携帯電話取付具１５は必須のものではなく、裏材１２に粘着シート（例えば、粘着と剥離とを複数行うことができる再粘着シートを用いてもよい。）を用いてスマートフォンを取り付けるようにしたり、裏材１２とスマートフォンとを面ファスナーより着脱自在に取り付けるようにしてもよい。
【００２７】
中芯１６は、裏材１２及び表材１４よりも強度（曲げ強度）の高い材質（例えば、厚紙、合成樹脂板、金属板）の平板部材により形成されたものであり、ここでは両主表面が長方形を略なす厚紙により構成されている。
【００２８】
第２導光板１７は、アクリル樹脂等の透明な合成樹脂により形成された平板部材により構成されたものであり、一方から第２導光板１７内部に入射した光を他方へ導き、該他方側の端部から該光を出射させるものである。ここの第２導光板１７は、両主表面が長方形を略なす板状部材（平板部材）に、該両主表面を連絡する略長方形状の導光開口１７ｈを形成したものであり、導光開口１７ｈの周囲を巡るように取り囲んだ形状を有している。後述の通り、ここでは第２導光板１７の内縁１７ａから入射した光を、外縁１７ｂから出射させるように機能する。
【００２９】
第１導光板２３は、アクリル樹脂等の透明な合成樹脂により形成された平板部材により構成されたものであり、第２導光板１７が有する開口である導光開口１７ｈに丁度嵌入され、後述の発光部２５（支持開口２３ｈに丁度嵌入されている）が発した光をその内縁２３ａから受け入れ、該受け入れた光を外縁２３ｂから出射すると共に第１導光板２３の表面２３ｓからも出射するようになっている。この外縁２３ｂから出射した光は、前述の第２導光板１７の内縁１７ａに入射し、外縁１７ｂから出射することで、第２導光板１７の外縁１７ｂを光らせる。また、第１導光板２３の表面２３ｓから出射した光は、後述の第１デザインパネル３１の裏面３１ｂから第１デザインパネル３１内部に入射し、第１デザインパネル３１の表面３１ａから出射することで第１デザインパネル３１の表面３１ａを光らせるものである。かかる第１導光板２３は、光を通過させる材質で形成された平板部材（両主表面が長方形を略なし、該両主表面を連絡するように支持開口２３ｈが形成されている。）によって構成され、表面２３ｓから前記光を出射するために、第１導光板２３内部を通過して表面２３ｓに到達した光が第１導光板２３内部方向に再び反射することを防止又は減少させるための加工（例えば、表面２３ｓに凹凸を付す加工）が表面２３ｓに施されている。
【００３０】
発光部２５は、支持開口２３ｈに丁度嵌入され、携帯電話取付具１５に取り付けられたスマートフォン（不図示）の液晶面が発光することを検出し、該検出したときから一定時間、発光部２５の外縁２５ｃから光を出射する。なお、後述のように、携帯電話取付具１５にスマートフォン３０１を取り付けた状態（後述の図１３〜１５）において、発光を検出する発光部２５の検出部が、スマートフォン（不図示）の液晶面の発光を検出可能にするため、該検出部とスマートフォン（不図示）の液晶面との間の裏材１２の部分は透明にされるか又は該部分に光透過孔（不図示）を形成している。外縁２５ｃから出射されるこの光は、強度及び／又は色彩が時間経過と共に変化するものであっても、変化しないものであってもよい。通常、スマートフォンは着信によりその液晶面が発光するので、スマートフォンへの着信から一定時間、発光部２５は発光する。
ここでは発光部２５は、スマートフォン（不図示）の液晶面が発光することを検出し自ら発光するものを用いたが、これに限定されるものではなく、例えば、スマートフォン（不図示）が発射する電波（着信や発信）、スマートフォン（不図示）が発生する振動（バイブレーション）、スマートフォン（不図示）が発生する音を検出して自ら発光するものであってもよい。
かかる発光部２５としては、既に様々なものが知られているので、ここでは詳細な説明を省略するが、一例を挙げれば、東栄社製の商品名「ディズニーライトケース」に使用されている発光部を挙げることができる。
【００３１】
このような発光部２５、第１導光板２３及び第２導光板１７は、発光部２５が支持開口２３ｈに嵌入されると共に第１導光板２３が導光開口１７ｈに嵌入された状態（かかる状態を図１〜４及び６において示している。）では、１枚の板状形状（ここでは両主表面がいずれも同形状の長方形を略なす。）を略なすものであり、該１枚の板状形状は他方部分１２ｂに丁度うまく配設され得るものである。また、上述の如く、発光部２５がその外縁２５ｃから発した光が、第１導光板２３の内縁２３ａから第１導光板２３内部に入射し、該内縁２３ａから入射した光の一部は外縁２３ｂから出射し、該出射した光が第２導光板１７の内縁１７ａに入射し、そして外縁１７ｂから出射する。加えて、該内縁２３ａから入射した光の一部は、第１導光板２３の表面２３ｓから出射する。
【００３２】
第１デザインパネル３１は、アクリル樹脂等の透明な合成樹脂により形成された平板部材により構成されたものであり、裏面３１ｂが第１導光板２３の表面２３ｓに面するように配置されている（ここでは具体的には、表面２３ｓに僅かな再剥離可能な接着剤（不図示。一例を挙げれば、３Ｍ社製の商品名「スプレーのり５５」）を塗布することで、該塗布された接着剤が表面２３ｓと裏面３１ｂとの間に介在することで表面２３ｓと裏面３１ｂとが面した状態で保持されている。）。また、該接着剤に替えて、３Ｍ社製の商品名「フィルム基材両面粘着テープST-416P」等のような粘着テープを用いることもできる。
第１デザインパネル３１は、裏面３１ｂから入射した光が表面３１ａから出射することで第１デザインパネル３１の表面３１ａを光らせるようになっており、第１デザインパネル３１に表された模様３１ｄ（模様３１ｄは表面３１ａ及び裏面３１ｂの一方又は両方に表されている。）がこの光によって鮮明に看取される。
【００３３】
表材１４は、裏材１２と同様の柔軟なシート状部材（例えば、人工皮革）により全体が形成されており、両主表面が４の角部を丸められた長方形状を略なしている。表材１４の裏面１４ｂは、裏材１２、中芯１６及び第２導光板１７に接着されている。そして、互いに接着された表材１４及び裏材１２は、仮想上の線分２０１に沿って折り曲げ可能にされている。
また、スマートフォン（不図示）のカメラレンズの位置に対応して、表材１４、裏材１２、中芯１６及び携帯電話取付具１５を貫通するカメラ孔１８が形成されている。カメラ孔１８によってスマートフォン（不図示）のカメラレンズを塞がないため、スマートフォン（不図示）に第１本カバー１１を取り付けても該スマートフォン（不図示）により支障なく撮影を行うことができる。
【００３４】
次いで、第１本カバー１１の製造方法を説明する。
図８（ａ）は、第１本カバー１１の製造方法の第１ステップを説明する図である。第１ステップにおいては、柔軟なシート状部材（例えば、人工皮革）により形成された裏材１２を準備する。なお、この裏材１２は、カメラ孔１８を構成するための裏材孔１２ｈが穿設されている。
図８（ｂ）は、第１本カバー１１の製造方法の第２ステップを説明する図である。第２ステップにおいては、第１ステップにおいて準備した裏材１２の裏面１２ｆに中芯１６及び第２導光板１７を所定位置に接着する。なお、中芯１６は、カメラ孔１８を構成するための中芯孔１６ｈが穿設されている。
【００３５】
図９は、第１本カバー１１の製造方法の第３ステップを説明する図である。詳細には、図９（ａ）は図８（ａ）と同様の方向から見たところを示す図であり、図９（ｂ）は図９（ａ）のＨ−Ｈ端面図である。第３ステップにおいては、中芯１６、第２導光板１７及び裏材１２（第２ステップにおいて裏材１２に中芯１６及び第２導光板１７を接着したもの）に表材１４を接着する。表材１４は、カメラ孔１８を構成するための表材孔１４ｈが穿設されると共に、第１導光板２３（支持開口２３ｈに嵌入された発光部２５を含む）及び第１デザインパネル３１が嵌入されるための表材開口１４ｑ（導光開口１７ｈと略同じ形状及び寸法とされている。）が形成されている。
【００３６】
図１０は、第１本カバー１１の製造方法の第４ステップを説明する図である。詳細には、図１０（ａ）は図９（ａ）と同様の方向から見たところを示す図であり、図１０（ｂ）は図１０（ａ）のＪ−Ｊ端面図である。第４ステップにおいては、支持開口２３ｈに発光部２５が嵌入された第１導光板２３を、表材開口１４ｑを経て導光開口１７ｈに嵌入する。
【００３７】
図１１は、第１本カバー１１の製造方法の第５ステップを説明する図である。詳細には、図１１は図１０（ａ）と同様の方向から見たところを示す図である。第５ステップにおいては、第４ステップにて導光開口１７ｈに嵌入された第１導光板２３の表面２３ｓに第１デザインパネル３１を配置する。前述の如く、第１導光板２３の表面２３ｓに僅かな再剥離可能な接着剤（不図示）を塗布した後、第１デザインパネル３１の裏面３１ｂが第１導光板２３の表面２３ｓに面するように第１デザインパネル３１を配置することで、該塗布された再剥離可能な接着剤が表面２３ｓと裏面３１ｂとの間に介在することで表面２３ｓと裏面３１ｂとが面した状態で保持される。
【００３８】
図１２は、第１本カバー１１の製造方法の第６ステップを説明する図である。詳細には、図１２（ａ）は図１１と反対の方向から見たところを示す図であり、図１２（ｂ）は図１２（ａ）のＫ−Ｋ端面図である。第６ステップにおいては、裏材１２の所定位置に携帯電話取付具１５を取り付ける（ここでは接着）。
以上のようにして、第１本カバー１１が完成される。
【００３９】
第１本カバー１１の使用方法について説明する。
図１３は、第１本カバー１１の携帯電話取付具１５に、スマートフォン３０１（図１３には現れない。図１４及び図１５を参照されたい。）を取り付けた後、他方部分１２ｂを線分２０１近傍に沿って回動させ（いずれも柔軟な裏材１２及び表材１４が互いに接着された部分が、線分２０１に沿って形成されているので、一方部分１２ａに対して他方部分１２ｂを線分２０１近傍に沿って自由に回動させることができる。）、他方部分１２ｂがスマートフォン３０１を覆った状態を、第１デザインパネル３１の表面３１ａ側から見たところを示している。そして、図１４（ａ）は図１３のＬ−Ｌ端面（図示及び理解を容易にするためスマートフォン３０１の内部構造は図示を省略する。）を示し、図１４（ｂ）は図１３の矢印Ｍ１方向から見たところを示し、図１５（ａ）は図１３の矢印Ｍ２方向から見たところを示し、そして図１５（ｂ）は図１３の矢印Ｍ３方向から見たところを示している。図１３乃至図１５を参照して、第１本カバー１１の使用方法について説明する。
【００４０】
図１３乃至図１５に示す状態において、スマートフォン３０１に着信があると、前述の如く、スマートフォン３０１の液晶面が発光し、発光部２５が該発光を検出することで（前述の通り、液晶面の発光ではなく、スマートフォン３０１が発生する振動（バイブレーション）、電波及び音等を検出するものでもよい。）、該検出したときから一定時間、発光部２５の外縁２５ｃから光を出射する。外縁２５ｃから発せられた光は、第１導光板２３の内縁２３ａから第１導光板２３内部に入射し、第１導光板２３内部を進み、第１導光板２３内部に入射した光の一部は外縁２３ｂから出射する。外縁２３ｂから該出射した光は第２導光板１７の内縁１７ａに入射し、第２導光板１７内部を進み、第２導光板１７内部に入射した光の一部は外縁１７ｂから出射する。これによって第２導光板１７の外縁１７ｂが光る（図１３中の矢印Ｋ）。更に、内縁２３ａから第１導光板２３内部に入射した前記の光の一部は、第１導光板２３の表面２３ｓから出射する。第１導光板２３の表面２３ｓから出射した光は、第１デザインパネル３１の裏面３１ｂから第１デザインパネル３１内部に入射し、第１デザインパネル３１内部を進んだ光が表面３１ａから出射することで第１デザインパネル３１の表面３１ａが光る。
以上の通り、スマートフォン３０１に着信があると、第２導光板１７の外縁１７ｂが光ると共に、第１デザインパネル３１の表面３１ａが光ることにより、スマートフォン３０１の使用者（不図示）が着信を明確に認識することで的確及び迅速に対応することができると共に、第１本カバー１１に格好良さや面白味を与えることができる。
加えて、第１デザインパネル３１は第１導光板２３表面２３ｓに着脱自在であるので、スマートフォン３０１の使用者（不図示）の好みに応じて変更することができる。
【００４１】
以上の通り、第１本カバー１１は、板状の通信装置（ここではスマートフォン３０１）に取り付けられるカバーであって、該通信装置（スマートフォン３０１）の所定の動作（ここではスマートフォン３０１の液晶面の発光）を検出し発光する発光手段（ここでは発光部２５）と、発光手段（発光部２５）の発光を内部に受け入れ導光すると共に該導光した光を出射する透明の板状の導光手段（ここでは第１導光板２３及び第２導光板１７）と、を備えてなる、カバーである。
そして第１本カバー１１においては、導光手段（第１導光板２３及び第２導光板１７）の外縁（ここでは第２導光板１７の外縁１７ｂ）の少なくとも一部である出射外縁（図１３中の矢印Ｋにて示される光を出射している外縁）から光が出射するものである。
第１本カバー１１においては、導光手段（第１導光板２３及び第２導光板１７）の両主表面の少なくとも一面における、出射外縁（第２導光板１７の外縁１７ｂのうち、図１３中の矢印Ｋにて示される光を出射している外縁）の少なくとも一部（ここでは全部）に沿った部分に、光を遮断又は減衰させる主表面覆い（ここでは裏材１２及び表材１４）が設けられているものである。
第１本カバー１１においては、主表面覆い（裏材１２及び表材１４）が、導光手段（第１導光板２３及び第２導光板１７）の両主表面の両面に設けられているものである。
第１本カバー１１においては、導光手段（第１導光板２３及び第２導光板１７）を含む第１板状部（他方部分１２ｂを含む部分）と、第１板状部（他方部分１２ｂを含む部分）の縁部に縁部が回動自在又は屈曲自在に取り付けられ、前記通信装置（スマートフォン３０１）を第１板状部（他方部分１２ｂを含む部分）との間に挟み得る第２板状部（一方部分１２ａを含む部分）と、を備えてなり、第１板状部（他方部分１２ｂを含む部分）と第２板状部（一方部分１２ａを含む部分）とが前記通信装置（スマートフォン３０１）を挟んだ状態（図１３、図１４及び図１５）において、前記通信装置（スマートフォン３０１）に面する前記カバー（第１本カバー１１）の内面を形成する内面部材（ここでは裏材１２）と、前記カバー（第１本カバー１１）の外面を形成する外面部材（ここでは表材１４）と、の少なくとも一方（ここでは両方）が主表面覆いを構成するものである。
第１本カバー１１においては、導光手段（第１導光板２３及び第２導光板１７）を含む第１板状部（他方部分１２ｂを含む部分）と、第１板状部（他方部分１２ｂを含む部分）の縁部に縁部が回動自在又は屈曲自在に取り付けられ、前記通信装置（スマートフォン３０１）を第１板状部（他方部分１２ｂを含む部分）との間に挟み得る第２板状部（一方部分１２ａを含む部分）と、を備えてなり、第１板状部（他方部分１２ｂを含む部分）と第２板状部（一方部分１２ａを含む部分）とが前記通信装置（スマートフォン３０１）を挟んだ状態（図１３、図１４及び図１５）において、前記通信装置（スマートフォン３０１）に面する前記カバー（第１本カバー１１）の内面を形成する内面部材（ここでは裏材１２）と、前記カバー（第１本カバー１１）の外面を形成する外面部材（ここでは表材１４）と、の両方が主表面覆いを構成するものである。
【００４２】
第１本カバー１１においては、導光手段（第１導光板２３及び第２導光板１７）が、発光手段（発光部２５）の発光を内部に受け入れる部分である光受入部（ここでは内縁２３ａ）を含むと共に外縁（ここでは外縁２３ｂ）から出射させる板状の第１導光部（ここでは第１導光板２３）と、第１導光部（第１導光板２３）の該外縁（外縁２３ｂ）から出射した光を受け入れて出射させる板状の第２導光部（第２導光板１７）と、を含んでなる。
第１本カバー１１においては、第１導光部（第１導光板２３）が、第１導光部（第１導光板２３）が形成する板状形状の両主表面を連絡するように形成された、発光手段（発光部２５）を嵌入する発光手段嵌入孔（ここでは支持開口２３ｈ）を有してなり、光受入部（内縁２３ａ）が、発光手段嵌入孔（支持開口２３ｈ）を規定する内縁部分の少なくとも一部である。
第１本カバー１１においては、第２導光部（第２導光板１７）が、第２導光部（第２導光板１７）が形成する板状形状の両主表面を連絡するように形成された、第１導光部（第１導光板２３）を嵌入する第１導光部嵌入孔（導光開口１７ｈ）を有してなり、第２導光部が、第１導光部嵌入孔（導光開口１７ｈ）を規定する内縁部分（ここでは内縁１７ａ）の少なくとも一部から第１導光部（第１導光板２３）の前記外縁（外縁２３ｂ）から出射した光を受け入れるものである。
第１本カバー１１においては、第２導光部（第２導光板１７）の外縁（外縁１７ｂ）の少なくとも一部である第２導光部出射外縁（第２導光板１７の外縁１７ｂのうち、図１３中の矢印Ｋにて示される光を出射している外縁）から光が出射するものである。
【００４３】
第１本カバー１１においては、導光手段（第１導光板２３及び第２導光板１７）の両主表面の少なくとも一部である出射主表面（ここでは第１導光板２３の表面２３ｓ）から光を出射するものである。
第１本カバー１１においては、出射主表面（第１導光板２３の表面２３ｓ）から出射する光を内部に受入可能に配置されると共に、光を出射可能な外面（ここでは第１デザインパネル３１の表面３１ａ）の少なくとも一部が露出するように配置された透明な装飾部材（ここでは第１デザインパネル３１）を備えるものである。
第１本カバー１１においては、前記装飾部材（第１デザインパネル３１）が、板状の装飾板材であり、該装飾板材（第１デザインパネル３１）の裏面（裏面３１ｂ）が出射主表面（第１導光板２３の表面２３ｓ）に面するように該装飾板材（第１デザインパネル３１）が着脱自在に取り付けられているものである。
第１本カバー１１においては、前記装飾部材（第１デザインパネル３１）の前記露出する、光を出射可能な外面（第１デザインパネル３１の表面３１ａ）を取り囲むように、光を遮断又は減衰させる周囲覆い（ここでは表材１４）が設けられているものである。
第１本カバー１１においては、導光手段（第１導光板２３及び第２導光板１７）を含む第１板状部（他方部分１２ｂを含む部分）と、第１板状部（他方部分１２ｂを含む部分）の縁部に縁部が回動自在又は屈曲自在に取り付けられ、前記通信装置（スマートフォン３０１）を第１板状部（他方部分１２ｂを含む部分）との間に挟み得る第２板状部（一方部分１２ａを含む部分）と、を備えてなり、第１板状部（他方部分１２ｂを含む部分）と第２板状部（一方部分１２ａを含む部分）とが前記通信装置（スマートフォン３０１）を挟んだ状態（図１３、図１４及び図１５）において、前記通信装置（スマートフォン３０１）に面する前記カバー（第１本カバー１１）の内面を形成する内面部材（ここでは裏材１２）と、前記カバー（第１本カバー１１）の外面を形成する外面部材（ここでは表材１４）と、の両部材の少なくとも一方（ここでは表材１４）が前記周囲覆いを構成するものである。
第１本カバー１１においては、前記通信装置（スマートフォン３０１）を着脱自在に取り付ける取付手段（ここでは携帯電話取付具１５）を有するものである。
【００４４】
（第２の実施形態）
図１６は、本考案の第２の実施形態に係る携帯電話カバー（以下、「第２本カバー」という。）２１１を示す図であり、詳細には、図１６（ａ）は第２本カバー２１１を表面２１３（携帯電話に装着された際に外面を形成する面）側から見たところを示す図であり、図１６（ｂ）は第２本カバー２１１を裏面２１９（携帯電話に装着された際に携帯電話に面する面。表面２１３とは反対の面。）側から見たところを示す図である。図１７は図１６（ａ）のＡ−Ａ断面図であり、図１８は図１６（ａ）のＢ−Ｂ断面図であり、図１９（ａ）は図１６（ａ）のＤ−Ｄ断面図であり、そして図１９（ｂ）は図１６（ａ）のＣ−Ｃ断面図である。図２０は図１６（ｂ）のＮ−Ｎ端面図（但し、図示及び理解を容易にするため、該端面に現れるもののうち、第２デザインパネル２３１及び裏材１２の両者のみを表している。）である。図１６乃至図２０を参照して、第２本カバー２１１について説明する。
なお、第２本カバー２１１に用いる第１デザインパネル３１、第２導光板１７、発光部２５及び第１導光板２３は、いずれも第１本カバー１１に用いた第１デザインパネル３１、第２導光板１７、発光部２５及び第１導光板２３と同様のものを用いているので、ここでは説明を省略する（必要に応じ、これらについては第１本カバー１１における第１デザインパネル３１、第２導光板１７、発光部２５及び第１導光板２３に関する説明を参照されたい。）。また、第２本カバー２１１を示す上記の図においても、図示及び理解を容易にするため、発光部２５の構造は図示を省略している。
【００４５】
第２本カバー２１１は、第１本カバー１１に比して、第２デザインパネル２３１を有する点が異なり、その余りは第１本カバー１１と同様の構成を有しているので、第２デザインパネル２３１を有する点を主に説明し、第１本カバー１１と同様の構成に関する説明は省略する（第１本カバー１１の構成要素と同じ構成要素には、第２本カバー２１１の図中において第１本カバー１１の参照番号と同じ参照番号を付している。必要に応じ第１本カバー１１に関する説明を参照されたい。）。
【００４６】
第２本カバー２１１は、大まかには、両主表面が長方形（４の角部が丸められている）を略なす裏材１２と、裏材１２の主表面を横断する線分２０１（図１６（ｂ）参照。線分２０１は仮想上の線分であり、ここでは裏材１２の該主表面の互いに平行な一対の辺（ここでは長辺）に垂直かつ該一対の辺とは別の一対の辺（ここでは短辺）のいずれからも距離が等しい線分である。）により該主表面が２の部分に分割された一方部分１２ａに取り付けられた携帯電話取付具１５と、裏材１２の裏面１２ｆ（第２本カバー２１１の裏面２１９を形成する裏材１２の面とは反対の面）側に貼着された表材１４と、一方部分１２ａのうち線分２０１と所定距離離れた部分（携帯電話取付具１５の位置にほぼ対応する位置）と表材１４との間に介在するように配設された中芯１６と、該２の部分のうち一方部分１２ａではない方の他方部分１２ｂのうち線分２０１と所定距離離れた部分の裏面（第２本カバー２１１の裏面２１９を形成する裏材１２の面とは反対の面）に貼着された第２導光板１７と、第２導光板１７が有する開口である導光開口１７ｈに丁度嵌入された第１導光板２３と、第１導光板２３が有する開口である支持開口２３ｈに丁度嵌入された発光部２５と、第１導光板２３が有する両主表面のうち裏材１２裏面１２ｆに面する面とは反対の面に着脱自在に配置された第１デザインパネル３１と、裏材１２の裏面１２ｆと表面１２ｅ（第２本カバー２１１の裏面２１９を形成する面）とを連絡するように形成された嵌入孔１２ｋに嵌入された第２デザインパネル２３１と、を備えてなる。
【００４７】
第２デザインパネル２３１は、第１デザインパネル３１と同様、アクリル樹脂等の透明な合成樹脂により形成された平板部材により構成されたものであり、裏面２３１ｂが第１導光板２３の裏面２３ｔに面するように配置されている（ここでは具体的には、嵌入孔１２ｋを規定する裏材１２の縁部と、第２デザインパネル２３１の外縁部と、の間４０１（図２０参照）が接着剤（接着剤は不図示）により接着されることで、第２デザインパネル２３１が嵌入孔１２ｋに嵌入された状態で保持されている。）。
第２デザインパネル２３１は、第１導光板２３の裏面２３ｔから出射した光（第１導光板２３の内縁２３ａから入射した光の一部は、第１導光板２３の裏面２３ｔから出射する。このためには表面２３ｓと同様、第１導光板２３内部を通過して裏面２３ｔに到達した光が第１導光板２３内部方向に再び反射することを防止又は減少させるための加工（例えば、裏面２３ｔに凹凸を付す加工）が裏面２３ｔに施されている。）を裏面２３１ｂから入射させ、該入射した光が表面２３１ａから出射することで第２デザインパネル２３１の表面２３１ａを光らせるようになっている。そして、第２デザインパネル２３１は、表面２３１ａがデザインされた数字の「１」の形状を有しているので、表面２３１ａが光ることで第２本カバー２１１の裏面２１９に、デザインされた数字「１」を鮮明に光らせることができる。
【００４８】
次いで、第２本カバー２１１の製造方法を説明する。
図２１（ａ）は、第２本カバー２１１の製造方法の第１ステップを説明する図である。まず、第１ステップにおいては、柔軟なシート状部材（例えば、人工皮革）により形成されると共に嵌入孔１２ｋを有する裏材１２を準備する。そして、別に形成した第２デザインパネル２３１を嵌入孔１２ｋに嵌入し接着する。
図２１（ｂ）は、第２本カバー２１１の製造方法の第２ステップを説明する図である。第２ステップにおいては、第１ステップにおいて準備した裏材１２の裏面１２ｆに中芯１６及び第２導光板１７を所定位置に接着する。なお、中芯１６は、カメラ孔１８を構成するための中芯孔１６ｈが穿設されている。
【００４９】
図２２は、第２本カバー２１１の製造方法の第３ステップを説明する図である。詳細には、図２２（ａ）は図２１（ａ）及び（ｂ）と同様の方向から見たところを示す図であり、図２２（ｂ）は図２２（ａ）のＨ−Ｈ端面図である。第３ステップにおいては、中芯１６、第２導光板１７及び裏材１２（第２ステップにおいて裏材１２に中芯１６及び第２導光板１７を接着したもの）に表材１４を接着する。表材１４は、カメラ孔１８を構成するための表材孔１４ｈが穿設されると共に、第１導光板２３（支持開口２３ｈに嵌入された発光部２５を含む）及び第１デザインパネル３１が嵌入されるための表材開口１４ｑ（導光開口１７ｈと略同じ形状及び寸法とされている。）が形成されている。
【００５０】
図２３は、第２本カバー２１１の製造方法の第４ステップを説明する図である。詳細には、図２３（ａ）は図２２（ａ）と同様の方向から見たところを示す図であり、図２３（ｂ）は図２３（ａ）のＪ−Ｊ端面図である。第４ステップにおいては、支持開口２３ｈに発光部２５が嵌入された第１導光板２３を、表材開口１４ｑを経て導光開口１７ｈに嵌入する。
【００５１】
その後、第１本カバー１１の製造方法の第５ステップ（図１１）と同様、第４ステップにて導光開口１７ｈに嵌入された第１導光板２３の表面２３ｓに第１デザインパネル３１を配置する。このとき、第１導光板２３の表面２３ｓに僅かな再剥離可能な接着剤（不図示）を塗布した後、第１デザインパネル３１の裏面３１ｂが第１導光板２３の表面２３ｓに面するように第１デザインパネル３１を配置することで、該塗布された再剥離可能な接着剤が表面２３ｓと裏面３１ｂとの間に介在して表面２３ｓと裏面３１ｂとが面した状態で保持される。
さらに、第１本カバー１１の製造方法の第６ステップ（図１２）と同様、裏材１２の所定位置に携帯電話取付具１５を取り付けて（ここでは接着）、第２本カバー２１１が完成される。
【００５２】
第２本カバー２１１の使用方法について説明する。
図２４（ａ）は、第２本カバー２１１の携帯電話取付具１５にスマートフォン３０１を取り付けた後、他方部分１２ｂを線分２０１近傍に沿って回動させ、他方部分１２ｂがスマートフォン３０１を覆った状態を、第１デザインパネル３１の表面３１ａ側から見たところを示しており、図２４（ｂ）は図２４（ａ）のＬ−Ｌ端面（図示及び理解を容易にするためスマートフォン３０１の内部構造は図示を省略する。）を示している。なお、図２４（ａ）中の矢印Ｍ１方向から見たところは図１４（ｂ）と同様であり、図２４（ａ）中の矢印Ｍ２方向から見たところは図１５（ａ）と同様であり、そして図２４（ａ）中の矢印Ｍ３方向から見たところは図１５（ｂ）と同様である。これらの図を参照して、第２本カバー２１１の使用方法を説明する。
【００５３】
図２４の状態において、スマートフォン３０１に着信があると、前述の如く、スマートフォン３０１の液晶面が発光し、発光部２５が該発光を検出することで（前述の通り、液晶面の発光ではなく、スマートフォン３０１が発生する振動（バイブレーション）や電波を検出するものでもよい。）、該検出したときから一定時間、発光部２５の外縁２５ｃから光を出射する。外縁２５ｃから発せられた光は、第１導光板２３の内縁２３ａから第１導光板２３内部に入射し、第１導光板２３内部を進み、第１導光板２３内部に入射した光の一部は外縁２３ｂから出射する。外縁２３ｂから該出射した光は第２導光板１７の内縁１７ａに入射し、第２導光板１７内部を進み、第２導光板１７内部に入射した光の一部は外縁１７ｂから出射する。これによって第２導光板１７の外縁１７ｂが光る（図２４（ａ）中の矢印Ｋ）。更に、内縁２３ａから第１導光板２３内部に入射した前記の光の一部は、第１導光板２３の表面２３ｓと裏面２３ｔとの両面から出射する。第１導光板２３の表面２３ｓから出射した光は、第１デザインパネル３１の裏面３１ｂから第１デザインパネル３１内部に入射し、第１デザインパネル３１内部を進んだ光が表面３１ａから出射することで第１デザインパネル３１の表面３１ａが光る。第１導光板２３の裏面２３ｔから出射した光は、第２デザインパネル２３１の裏面２３１ｂから入射し第２デザインパネル２３１内部を通過した後に表面２３１ａから出射することで第２デザインパネル２３１の表面２３１ａを光らせる。
以上の通り、スマートフォン３０１に着信があると、第２導光板１７の外縁１７ｂが光り、第１デザインパネル３１の表面３１ａが光る（表面２１３側）と共に第２デザインパネル２３１の表面２３１ａが光る（裏面２１９側）ので、スマートフォン３０１の使用者（不図示）が着信を明確に認識することで的確及び迅速に対応することができると共に、第２本カバー２１１に格好良さや面白味を与えることができる。なお、第２デザインパネル２３１の表面２３１ａが光っていることは、他方部分１２ｂを線分２０１近傍に沿って回動させ、他方部分１２ｂをスマートフォン３０１から離して覆っていない状態（着信に応じる状態）にすることで視認できる（スマートフォン３０１の着信を発光部２５が検出したときから前記一定時間は発光部２５の外縁２５ｃから光を出射するので、着信から迅速に着信に応じることで表面２３１ａの光を視認できる。）。
また、第１本カバー１１と同様、第２本カバー２１１においては第１デザインパネル３１は第１導光板２３表面２３ｓに着脱自在であるので、スマートフォン３０１の使用者（不図示）の好みに応じて変更することができる。
【００５４】
以上の通り、スマートフォン３０１への着信により、第２本カバー２１１は、第２導光板１７の外縁１７ｂが光ると共に、第２本カバー２１１の表面２１３において第１デザインパネル３１の表面３１ａが光るように構成され、第２本カバー２１１は、第２導光板１７の外縁１７ｂが光り、第２本カバー２１１の表面２１３において第１デザインパネル３１の表面３１ａが光ると共に、第２本カバー２１１の裏面２１９において第２デザインパネル２３１の表面２３１ａが光るようになっている。しかしながら、これに限定されるものではなく、第１デザインパネルと同様に表面が長方形を略なすもの（以下、四角パネル）と、第２デザインパネルと同様に表面が特定の文字、図形、記号等のような特徴的な形状を略なすもの（以下、特徴形状パネル）と、を自由に配置することができる。一例を挙げれば、本カバーの表面１３、２１３に四角パネルに替えて特徴形状パネルを配置したり、本カバーの表面１３、２１３に四角パネルと一緒に特徴形状パネルを配置したり、本カバーの表面１３、２１３には全くパネル（四角パネル及び特徴形状パネルを含む）を配置しないことも可能である。また、本カバーの裏面１９、２１９に特徴形状パネルに替えて四角パネルを配置したり、本カバーの裏面１９、２１９に特徴形状パネルと一緒に四角パネルを配置することもできる（無論、第１本カバー１１のように裏面に全くパネル（四角パネル及び特徴形状パネルを含む）を配置しないことも可能である。）。そして、第２導光板１７の外縁１７ｂの全部がここでは光るようにされているが、外縁１７ｂの一部のみが光るようにしてもよい。
【００５５】
以上説明の通り、第２本カバー２１１は、板状の通信装置（ここではスマートフォン３０１）に取り付けられるカバーであって、該通信装置（スマートフォン３０１）の所定の動作（ここではスマートフォン３０１の液晶面の発光）を検出し発光する発光手段（ここでは発光部２５）と、発光手段（発光部２５）の発光を内部に受け入れ導光すると共に該導光した光を出射する透明の板状の導光手段（ここでは第１導光板２３及び第２導光板１７）と、を備えてなる、カバーである。
そして、第２本カバー２１１においては、導光手段（第１導光板２３及び第２導光板１７）の外縁（ここでは第２導光板１７の外縁１７ｂ）の少なくとも一部である出射外縁（図２４（ａ）中の矢印Ｋにて示される光を出射している外縁）から光が出射するものである。
第２本カバー２１１においては、導光手段（第１導光板２３及び第２導光板１７）の両主表面の少なくとも一面における、出射外縁（第２導光板１７の外縁１７ｂのうち、図１３中の矢印Ｋにて示される光を出射している外縁）の少なくとも一部（ここでは全部）に沿った部分に、光を遮断又は減衰させる主表面覆い（ここでは裏材１２及び表材１４）が設けられているものである。
第２本カバー２１１においては、主表面覆い（裏材１２及び表材１４）が、導光手段（第１導光板２３及び第２導光板１７）の両主表面の両面に設けられているものである。
第２本カバー２１１においては、導光手段（第１導光板２３及び第２導光板１７）を含む第１板状部（他方部分１２ｂを含む部分）と、第１板状部（他方部分１２ｂを含む部分）の縁部に縁部が回動自在又は屈曲自在に取り付けられ、前記通信装置（スマートフォン３０１）を第１板状部（他方部分１２ｂを含む部分）との間に挟み得る第２板状部（一方部分１２ａを含む部分）と、を備えてなり、第１板状部（他方部分１２ｂを含む部分）と第２板状部（一方部分１２ａを含む部分）とが前記通信装置（スマートフォン３０１）を挟んだ状態（図２４）において、前記通信装置（スマートフォン３０１）に面する前記カバー（第２本カバー２１１）の内面を形成する内面部材（ここでは裏材１２）と、前記カバー（第２本カバー２１１）の外面を形成する外面部材（ここでは表材１４）と、の少なくとも一方（ここでは両方）が主表面覆いを構成するものである。
第２本カバー２１１においては、導光手段（第１導光板２３及び第２導光板１７）を含む第１板状部（他方部分１２ｂを含む部分）と、第１板状部（他方部分１２ｂを含む部分）の縁部に縁部が回動自在又は屈曲自在に取り付けられ、前記通信装置（スマートフォン３０１）を第１板状部（他方部分１２ｂを含む部分）との間に挟み得る第２板状部（一方部分１２ａを含む部分）と、を備えてなり、第１板状部（他方部分１２ｂを含む部分）と第２板状部（一方部分１２ａを含む部分）とが前記通信装置（スマートフォン３０１）を挟んだ状態（図２４）において、前記通信装置（スマートフォン３０１）に面する前記カバー（第２本カバー２１１）の内面を形成する内面部材（ここでは裏材１２）と、前記カバー（第２本カバー２１１）の外面を形成する外面部材（ここでは表材１４）と、の両方が主表面覆いを構成するものである。
【００５６】
第２本カバー２１１においては、導光手段（第１導光板２３及び第２導光板１７）が、発光手段（発光部２５）の発光を内部に受け入れる部分である光受入部（ここでは内縁２３ａ）を含むと共に外縁（ここでは外縁２３ｂ）から出射させる板状の第１導光部（ここでは第１導光板２３）と、第１導光部（第１導光板２３）の該外縁（外縁２３ｂ）から出射した光を受け入れて出射させる板状の第２導光部（第２導光板１７）と、を含んでなる。
第２本カバー２１１においては、第１導光部（第１導光板２３）が、第１導光部（第１導光板２３）が形成する板状形状の両主表面を連絡するように形成された、発光手段（発光部２５）を嵌入する発光手段嵌入孔（ここでは支持開口２３ｈ）を有してなり、光受入部（内縁２３ａ）が、発光手段嵌入孔（支持開口２３ｈ）を規定する内縁部分の少なくとも一部である。
第２本カバー２１１においては、第２導光部（第２導光板１７）が、第２導光部（第２導光板１７）が形成する板状形状の両主表面を連絡するように形成された、第１導光部（第１導光板２３）を嵌入する第１導光部嵌入孔（導光開口１７ｈ）を有してなり、第２導光部が、第１導光部嵌入孔（導光開口１７ｈ）を規定する内縁部分（ここでは内縁１７ａ）の少なくとも一部から第１導光部（第１導光板２３）の前記外縁（外縁２３ｂ）から出射した光を受け入れるものである。
第２本カバー２１１においては、第２導光部（第２導光板１７）の外縁（外縁１７ｂ）の少なくとも一部である第２導光部出射外縁（第２導光板１７の外縁１７ｂのうち、図２４（ａ）中の矢印Ｋにて示される光を出射している外縁）から光が出射するものである。
【００５７】
第２本カバー２１１においては、導光手段（第１導光板２３及び第２導光板１７）の両主表面の少なくとも一部である出射主表面（ここでは第１導光板２３の表面２３ｓ及び裏面２３ｔ）から光を出射するものである。
第２本カバー２１１においては、出射主表面（第１導光板２３の表面２３ｓ及び裏面２３ｔ）から出射する光を内部に受入可能に配置されると共に、光を出射可能な外面（ここでは第１デザインパネル３１の表面３１ａと、第２デザインパネル２３１の表面２３１ａ）の少なくとも一部が露出するように配置された透明な装飾部材（ここでは第１デザインパネル３１及び第２デザインパネル２３１）を備えるものである。
第２本カバー２１１においては、前記装飾部材（第１デザインパネル３１及び第２デザインパネル２３１）が、板状の装飾板材であり、該装飾板材（第１デザインパネル３１及び第２デザインパネル２３１）の裏面（裏面３１ｂ及び裏面２３１ｂ）が出射主表面（第１導光板２３の表面２３ｓ及び裏面２３ｔ）に面するように該装飾板材（第１デザインパネル３１及び第２デザインパネル２３１）が着脱自在に取り付けられているものである。
【００５８】
第２本カバー２１１においては、前記装飾部材（第１デザインパネル３１及び第２デザインパネル２３１）の前記露出する、光を出射可能な外面（第１デザインパネル３１の表面３１ａ、第２デザインパネル２３１の表面２３１ａ）を取り囲むように、光を遮断又は減衰させる周囲覆い（ここでは表面３１ａに対しては表材１４であり、表面２３１ａに対しては裏材１２）が設けられているものである。
第２本カバー２１１においては、導光手段（第１導光板２３及び第２導光板１７）を含む第１板状部（他方部分１２ｂを含む部分）と、第１板状部（他方部分１２ｂを含む部分）の縁部に縁部が回動自在又は屈曲自在に取り付けられ、前記通信装置（スマートフォン３０１）を第１板状部（他方部分１２ｂを含む部分）との間に挟み得る第２板状部（一方部分１２ａを含む部分）と、を備えてなり、第１板状部（他方部分１２ｂを含む部分）と第２板状部（一方部分１２ａを含む部分）とが前記通信装置（スマートフォン３０１）を挟んだ状態（図２４）において、前記通信装置（スマートフォン３０１）に面する前記カバー（第２本カバー２１１）の内面を形成する内面部材（ここでは裏材１２）と、前記カバー（第２本カバー２１１）の外面を形成する外面部材（ここでは表材１４）と、の両部材の少なくとも一方（ここでは両方である表材１４と裏材１２）が前記周囲覆いを構成するものである。
第２本カバー２１１においては、前記通信装置（スマートフォン３０１）を着脱自在に取り付ける取付手段（ここでは携帯電話取付具１５）を有するものである。
【符号の説明】
【００５９】
１１        第１本カバー
１２        裏材
１２ａ      一方部分
１２ｂ      他方部分
１２ｅ      表面
１２ｆ      裏面
１２ｈ      裏材孔
１２ｋ      嵌入孔
１３        表面
１４        表材
１４ｂ      裏面
１４ｈ      表材孔
１４ｑ      表材開口
１５        携帯電話取付具
１６        中芯
１６ｈ      中芯孔
１７        第２導光板
１７ａ      内縁
１７ｂ      外縁
１７ｈ      導光開口
１８        カメラ孔
１９        裏面
２３        第１導光板
２３ａ      内縁
２３ｂ      外縁
２３ｈ      支持開口
２３ｓ      表面
２３ｔ      裏面
２５        発光部
２５ｃ      外縁
３１        第１デザインパネル
３１ａ      表面
３１ｂ      裏面
３１ｄ      模様
２０１        線分
２１１        第２本カバー
２１３        表面
２１９        裏面
２３１        第２デザインパネル
２３１ａ      表面
２３１ｂ      裏面
３０１        スマートフォン
４０１        間
【図１】
0003203196.tif 000003
【図２】
0003203196.tif 000004
【図３】
0003203196.tif 000005
【図４】
0003203196.tif 000006
【図５】
0003203196.tif 000007
【図６】
0003203196.tif 000008
【図７】
0003203196.tif 000009
【図８】
0003203196.tif 000010
【図９】
0003203196.tif 000011
【図１０】
0003203196.tif 000012
【図１１】
0003203196.tif 000013
【図１２】
0003203196.tif 000014
【図１３】
0003203196.tif 000015
【図１４】
0003203196.tif 000016
【図１５】
0003203196.tif 000017
【図１６】
0003203196.tif 000018
【図１７】
0003203196.tif 000019
【図１８】
0003203196.tif 000020
【図１９】
0003203196.tif 000021
【図２０】
0003203196.tif 000022
【図２１】
0003203196.tif 000023
【図２２】
0003203196.tif 000024
【図２３】
0003203196.tif 000025
【図２４】
0003203196.tif 000026